(57)【要約】【課題】車両の持つ躍動感を演出できる車両用メータ装置を提供する。【解決手段】車両用メータ装置(10)は、円形の中央メータ(12)と、中央メータの外周を囲むよう設けられ、円筒状の中央非光沢部(26)、及び、中央非光沢部の車両後方側の端縁(24a)に沿って車両後方側に設けられた円環状の中央光沢部(28)を有する中央外周部材(24)と、中央メータに隣接して配置される左右ディスプレイ(14,16)と、左右ディスプレイの外周を囲むように設けられ且つ中央外周部材に向けた開口部が形成され、壁状の左右非光沢部(34,38)、及び、左右非光沢部の車両後方側の端縁に沿って車両後方側に設けられた左右光沢部(36,40)を有する左右外周部材(30,32)とを有し、左右光沢部は、その端面(36a,40a)が、中央非光沢部の像をドライバ側に向けて反射するように中央非光沢部との間に隙間を有して対向するように配置される。【選択図】図２
2014189053.tif 000002
【特許請求の範囲】
【請求項１】
ドライバに対向して配置される車両用メータ装置であって、
ほぼ円形の中央表示板と、
この中央表示板の外周を囲むよう設けられ、非光沢の円筒状の中央非光沢部、及び、この中央非光沢部の車両後方側の端縁に沿って車両後方側に設けられた光沢の円環状の中央光沢部を有する中央表示板用の外周部材と、
上記中央表示板に隣接して配置される隣接表示板と、
この隣接表示板の外周を囲むように設けられ且つ上記中央表示板の外周部材に向けた開口部が形成され、非光沢の壁状の隣接非光沢部、及び、この隣接非光沢部の車両後方側の端縁に沿って車両後方側に設けられた光沢の隣接光沢部を有する隣接表示板用の外周部材と、を有し、
上記隣接表示板用の外周部材の隣接光沢部は、その端面が、上記中央表示板用の外周部材の中央非光沢部の像を、その端面の光沢によりドライバ側に向けて反射するように上記中央非光沢部との間に隙間を有して対向するように配置されていることを特徴とする車両用メータ装置。
【請求項２】
上記隣接光沢部の端面と上記中央非光沢部との間の隙間は、車両後方に向かって広がるように形成されている、請求項１に記載の車両用メータ装置。
【請求項３】
上記中央表示板用の外周部材の中央非光沢部は、上記中央表示板の面方向に対してほぼ直交する方向に延び、
上記隣接光沢部の端面は、ドライバから見て車両前方の奥側に向かう方向に所定の傾斜角を有し、その所定の傾斜角は、上記車両前方の奥側に向かうほど小さくなるように形成されている、請求項２に記載の車両用メータ装置。
【請求項４】
上記隣接表示板用の外周部材は、車両後方側の端縁に向けて薄くなるように形成されている、請求項１乃至３のいずれか１項に記載の車両用メータ装置。
【請求項５】
上記中央表示板用の外周部材は、側面視で、その車両後方側の端縁が、下側から上側に向かって車両後方側に突出するように傾斜して形成されている、請求項１乃至４のいずれか１項に記載の車両用メータ装置。
【請求項６】
上記隣接表示板用の外周部材は、その車両後方側の端縁の上側部分が、車両後方側の端縁の下側部分よりも、車両後方側に突出するように形成されている、請求項５に記載の車両用メータ装置。
【請求項７】
上記隣接表示板は、上記中央表示板を挟んで配置される左右の隣接表示板を含み、
上記隣接表示板用の外周部材は、上記左右の隣接表示板の外周をそれぞれ囲むように設けられる、請求項１乃至６のいずれか１項に記載の車両用メータ装置。
【発明の詳細な説明】
【技術分野】
【０００１】
本発明は、車両用メータ装置に係わり、特に、ドライバに対向して配置される車両用メータ装置に関する。
【背景技術】
【０００２】
従来より、複数の表示部を有する車両用メータ装置が用いられている。例えば、特許文献１には、水温計、速度計、及び、燃料計を有するコンビネーションメータが開示されている。このコンビネーションメータでは、正面視において、車幅方向に沿って左から順に、水温計、速度計、及び、燃料計が一列に配置されている。
【先行技術文献】
【特許文献】
【０００３】
【特許文献１】特開２００４−３０９５０８号公報
【発明の概要】
【発明が解決しようとする課題】
【０００４】
近年では、車両用メータ装置を含むインストルメントパネルのデザインにより、車両の持つ「勢い」や「躍動感」を演出して、車両の運動性能の高さや高級感をドライバに印象付けたいという要求がある。
しかしながら、上述した特許文献１のコンビネーションメータは、車両の持つ「勢い」や「躍動感」を演出することが想定されておらず、単に、エンジンの水温、車速、及び、燃料残量を表示すること目的として構成されている。即ち、特許文献１のコンビネーションメータでは、水温計、速度計、及び、燃料計が平面的に配列されているに過ぎないので、必要な情報を表示するというコンビネーションメータ本来の目的以外の印象を乗員に与えることが困難である。従って、従来のコンビネーションメータでは、車両の持つ「勢い」や「躍動感」を演出することができない。
【０００５】
本発明は、上述した従来技術の問題点を解決するためになされたものであり、車両の持つ「勢い」や「躍動感」を演出することができる車両用メータ装置を提供することを目的とする。
【課題を解決するための手段】
【０００６】
上記の目的を達成するために、本発明の車両用メータ装置は、ドライバに対向して配置される車両用メータ装置であって、ほぼ円形の中央表示板と、この中央表示板の外周を囲むよう設けられ、非光沢の円筒状の中央非光沢部、及び、この中央非光沢部の車両後方側の端縁に沿って車両後方側に設けられた光沢の円環状の中央光沢部を有する中央表示板用の外周部材と、中央表示板に隣接して配置される隣接表示板と、この隣接表示板の外周を囲むように設けられ且つ中央表示板の外周部材に向けた開口部が形成され、非光沢の壁状の隣接非光沢部、及び、この隣接非光沢部の車両後方側の端縁に沿って車両後方側に設けられた光沢の隣接光沢部を有する隣接表示板用の外周部材と、を有し、隣接表示板用の外周部材の隣接光沢部は、その端面が、中央表示板用の外周部材の中央非光沢部の像を、その端面の光沢によりドライバ側に向けて反射するように中央非光沢部との間に隙間を有して対向するように配置されていることを特徴とする。
このように構成された本発明においては、隣接表示板用の外周部材の隣接光沢部は、その端面が、中央表示板用の外周部材の中央非光沢部の像を、その端面の光沢によりドライバ側に向けて反射するように中央非光沢部との間に隙間を有して対向するように配置されているので、ドライバにとって、隣接光沢部の端面は、その端面に映りこんだ中央非光沢部により、外光を反射する隣接光沢部の他の部分よりも暗く認識される。これにより、隣接表示板用の外周部材の隣接光沢部が、中央非光沢部に対向する端面から次第に浮かび上がりながら車内に広がるような印象をドライバに与えることができ、立体感を強調することができる。
このように、隣接表示板用の外周部材の隣接光沢部がドライバの正面の中央表示板用の外周部材の中央非光沢部から車内に広がりながら運転席に近づいてくるような立体感を強調することにより、車両の持つ「勢い」や「躍動感」を演出することができる。
【０００７】
また、本発明において、好ましくは、隣接光沢部の端面と中央非光沢部との間の隙間は、車両後方に向かって広がるように形成されている。
このように構成された本発明においては、隣接光沢部の端面と中央非光沢部との間の隙間は、車両後方に向かって広がるように形成されているので、隣接光沢部の端面が、中央非光沢部の像を車両後方に向かって反射することができる。従って、ドライバの視点からは、中央非光沢部が映り込んだ隣接光沢部が視認される。これにより、隣接表示板用の外周部材の隣接光沢部が、中央非光沢部に対向する端面から次第に浮かび上がりながら車内に広がるような印象をドライバに与えることができ、立体感を強調することができる。
【０００８】
また、本発明において、好ましくは、中央表示板用の外周部材の中央非光沢部は、中央表示板の面方向に対してほぼ直交する方向に延び、隣接光沢部の端面は、ドライバから見て車両前方の奥側に向かう方向に所定の傾斜角を有し、その所定の傾斜角は、車両前方の奥側に向かうほど小さくなるように形成されている。
このように構成された本発明においては、中央表示板用の外周部材の中央非光沢部は、中央表示板の面方向に対してほぼ直交する方向に延び、隣接光沢部の端面の傾斜角は、ドライバから見て車両前方の奥側に向かうほど小さくなるように形成されているので、車両前方の奥側に向かうほど、隣接光沢部の端面と中央非光沢部の側面とが平行に近づき、ドライバにとって、これらの面の境界を識別し難くなる。これにより、隣接表示板用の外周部材の隣接光沢部が、中央非光沢部に対向する端面から浮かび上がってくる印象を一層強くドライバに与えることができ、立体感を更に強調することができる。
【０００９】
また、本発明において、好ましくは、隣接表示板用の外周部材は、車両後方側の端縁に向けて薄くなるように形成されている。
このように構成された本発明においては、隣接表示板用の外周部材は、車両後方側の端縁に向けて薄くなるように形成されているので、ドライバの視点から見た隣接表示板用の外周部材の奥行きが強調される。これにより、隣接表示板用の外周部材の立体感を更に強調することができる。
【００１０】
また、本発明において、好ましくは、中央表示板用の外周部材は、側面視で、その車両後方側の端縁が、下側から上側に向かって車両後方側に突出するように傾斜して形成されている。
このように構成された本発明においては、中央表示板用の外周部材は、側面視で、その車両後方側の端縁が、下側から上側に向かって車両後方側に突出するように傾斜しているので、中央表示板用の外周部材がドライバに向かって延びるような印象を与えることができ、この外周部材により囲まれる中央表示板の存在感を強調することができる。これにより、車両の持つ「勢い」や「躍動感」を演出することができる。
また、中央表示板用の外周部材の上側の端縁により、中央表示板への外光の入射を効果的に防止することができる。
【００１１】
また、本発明において、好ましくは、隣接表示板用の外周部材は、その車両後方側の端縁の上側部分が、車両後方側の端縁の下側部分よりも、車両後方側に突出するように形成されている。
このように構成された本発明においては、隣接表示板用の外周部材は、その車両後方側の端縁の上側部分が、車両後方側の端縁の下側部分よりも、車両後方側に突出しているので、隣接表示板用の外周部材がドライバに向かって延びる印象を与えることができ、この隣接表示板用の外周部材に隣接している中央表示板用の外周部材がドライバに向かって延びる印象を強調することができる。これにより、中央表示部の存在感を更に強調することができ、車両の持つ「勢い」や「躍動感」を演出することができる。
また、隣接表示板用の外周部材の上側の端縁により、隣接表示板への外光の入射を効果的に防止することができる。
【００１２】
また、本発明において、好ましくは、隣接表示板は、中央表示板を挟んで配置される左右の隣接表示板を含み、隣接表示板用の外周部材は、左右の隣接表示板の外周をそれぞれ囲むように設けられる。
このように構成された本発明においては、隣接表示板用の外周部材の隣接光沢部が、中央非光沢部に対向する端面から次第に浮かび上がりながら左右に広がるような印象をドライバに与えることができ、立体感を強調することができる。
このように、隣接表示板用の外周部材の隣接光沢部がドライバの正面の中央表示板用の外周部材の中央非光沢部から左右に広がりながら運転席に近づいてくるような立体感を強調することにより、車両の持つ「勢い」や「躍動感」を演出することができる。
【発明の効果】
【００１３】
本発明によれば、車両の持つ「勢い」や「躍動感」を演出することができる。
【図面の簡単な説明】
【００１４】
【図１】本発明の実施形態による車両用メータ装置を搭載した車両のインストルメントパネル周辺を示す斜視図である。
【図２】本発明の実施形態による車両用メータ装置の斜視図である。
【図３】本発明の実施形態による車両用メータ装置の正面図である。
【図４】本発明の実施形態による車両用メータ装置の側面図である。
【図５】本発明の実施形態による車両用メータ装置の平面図である。
【図６】本発明の実施形態による車両用メータ装置の底面図である。
【図７】本発明の実施形態による車両用メータ装置の右光沢部の端面と中央非光沢部との間の隙間を示す拡大底面図である。
【発明を実施するための形態】
【００１５】
以下、添付図面を参照して、本発明の実施形態による車両用メータ装置を説明する。
まず、図１により、本発明の実施形態による車両用メータ装置を搭載した車両のインストルメントパネル周辺の構成を説明する。図１は、本発明の実施形態による車両用メータ装置を搭載した車両のインストルメントパネル周辺を示す斜視図である。
【００１６】
図１に示すように、符号１は、車室を示し、この車室１の前部には、車幅方向に延びるインストルメントパネル２が設けられている。また、インストルメントパネル２の車幅方向中央部から車室１の後部に向かって、コンソール部４が延設されている。さらに、インストルメントパネル２の車両後方側の側面に設けられた開口にコラムシャフト６が挿通されており、このコラムシャフト６にステアリングホイール８が取り付けられている。また、インストルメントパネル２の運転席側（図１における左側）の側面に、車両用メータ装置１０が設けられている。
【００１７】
次に、図２乃至図４により、本発明の実施形態による車両用メータ装置１０の構成を説明する。図２は、本発明の実施形態による車両用メータ装置１０の斜視図であり、図３は、本発明の実施形態による車両用メータ装置１０の正面図であり、図４は、本発明の実施形態による車両用メータ装置１０の側面図である。
図２及び図３に示すように、車両用メータ装置１０の中央部には、円形の中央メータ１２が配置されている。また、中央メータ１２の車幅方向左側に隣接して、ほぼ台形の左ディスプレイ１４が配置され、中央メータ１２の車幅方向右側に隣接して、ほぼ台形の右ディスプレイ１６が配置されている。この車両用メータ装置１０は、中央メータ１２がドライバに対向して配置されるように、インストルメントパネル２に配置される。
【００１８】
中央メータ１２は、円形の文字盤１８と、文字盤１８の中心を軸として回動する指針２０とを備えている。本実施形態の中央メータ１２はエンジンの回転数を表示するタコメータであり、エンジンの回転数を示す数字及び目盛りが文字盤１８の外周に沿って配置されている。また、文字盤１８の一部（図３においては文字盤１８の右下の部分）には、文字盤ディスプレイ２２が設けられている。この文字盤ディスプレイ２２は、液晶ディスプレイであり、車速を表示する。
左ディスプレイ１４及び右ディスプレイ１６は、液晶ディスプレイであり、車両の状態に関する各種の情報を表示する。
【００１９】
更に、図２及び図３に示すように、車両用メータ装置１０の中央部には、中央メータ１２の外周を囲む円筒形状の中央外周部材２４が設けられている。この中央外周部材２４は、文字盤１８の面方向に対して直交する方向に延びるように形成されている。更に、図４に示すように、中央外周部材２４は、側面視で、この中央外周部材２４の運転席側の端縁２４ａが、中央メータ１２の下側から上側に向かって運転席方向に突出するように傾斜して形成されている。
この中央外周部材２４は、非光沢の円筒状の中央非光沢部２６と、この中央非光沢部２６の車両後方側の端縁に沿って車両後方側に設けられた光沢の円環状の中央光沢部２８とを有する。中央非光沢部２６は、表面が非光沢のプラスチックにより形成される。また、中央光沢部２８は、金属蒸着、金属めっき、金属調塗装等の表面処理が施されたプラスチックや、表面が光沢を持つように成形されたプラスチックにより形成される。
【００２０】
また、図２及び図３に示すように、中央外周部材２４の左側には、左ディスプレイ１４の外周を囲むように左外周部材３０が設けられている。左外周部材３０には、中央外周部材２４に向けた開口部が形成されている。即ち、左外周部材３０は、その両端部が中央外周部材２４に向けられた逆コ字形に形成されている。
更に、中央外周部材２４の右側には、右ディスプレイ１６の外周を囲むように右外周部材３２が設けられている。右外周部材３２には、中央外周部材２４に向けた開口部が形成されている。即ち、右外周部材３２は、その両端部が中央外周部材２４に向けられたコ字形に形成されている。
これらの左外周部材３０及び右外周部材３２（以下の説明では、必要に応じて「左右の外周部材３０、３２」と総称する。）は、文字盤１８の面方向に対して直交する方向に延びるように形成されている。また、左右の外周部材３０、３２は、車両後方側のそれぞれの端縁３０ａ、３２ａに向けて薄くなるように形成されている。
【００２１】
また、図４に示すように、右外周部材３２は、その車両後方側の端縁３２ａの上側部分が、車両後方側の端縁３２ａの下側部分よりも、車両後方側に突出するように形成されている。同様に、左外周部材３０は、その車両後方側の端縁３０ａの上側部分が、車両後方側の端縁３０ａの下側部分よりも、運転席側に突出するように形成されている。
【００２２】
左外周部材３０は、非光沢の壁状の左非光沢部３４と、この左非光沢部３４の車両後方側の端縁に沿って車両後方側に設けられた光沢の左光沢部３６とを有している。
また、右外周部材３２は、非光沢の壁状の右非光沢部３８と、この右非光沢部３８の車両後方側の端縁に沿って車両後方側に設けられた光沢の右光沢部４０とを有している。
左非光沢部３４及び右非光沢部３８は、表面が非光沢のプラスチックにより形成される。また、左光沢部３６及び右光沢部４０は、金属蒸着、金属めっき、金属調塗装等の表面処理が施されたプラスチックや、表面が光沢を持つように成形されたプラスチックにより形成される。
【００２３】
次に、図５及び図６により、中央外周部材２４と左右の外周部材３０、３２との配置関係を説明する。図５は、本発明の実施形態による車両用メータ装置１０の平面図であり、図６は、本発明の実施形態による車両用メータ装置１０の底面図である。
図５及び図６に示すように、中央非光沢部２６に向かって延びている左外周部材３０の両端部では、左光沢部３６の端面３６ａが、中央外周部材２４の中央非光沢部２６の像を、その端面３６ａの光沢によりドライバ側に向けて反射するように中央非光沢部２６との間に隙間４２を有して対向するように配置されている。この左光沢部３６の端面３６ａと中央非光沢部２６との間の隙間４２は、車両後方に向かって広がるように形成されている。
また、中央非光沢部２６に向かって延びている右外周部材３２の両端部では、右光沢部４０の端面４０ａが、中央外周部材２４の中央非光沢部２６の像を、その端面４０ａの光沢によりドライバ側に向けて反射するように中央非光沢部２６との間に隙間４４を有して対向するように配置されている。この右光沢部４０の端面４０ａと中央非光沢部２６との間の隙間４４は、車両後方に向かって広がるように形成されている。
【００２４】
次に、図７により、右外周部材３２の右光沢部４０の端面４０ａの形状を詳細に説明する。図７は、本発明の実施形態による車両用メータ装置１０の右光沢部４０の端面４０ａと中央非光沢部２６との間の隙間４４を示す拡大底面図である。
図７に示すように、右外周部材３２の右光沢部４０の下側の端面４０ａは、ドライバから見て車両前方の奥側に向かう方向に所定の傾斜角θを有し、その傾斜角θは、車両前方の奥側に向かうほど小さくなるように形成されている。ここで、「傾斜角θ」とは、ドライバから見て車両前方の奥側に向かう方向（図７では１点鎖線矢印により示す）から端面４０ａが傾斜している角度をいう。
【００２５】
本実施形態では、右光沢部４０の端面４０ａは、最も車両後方側の部分で右外周部材３２の車両後方側の端縁３２ａに連続的に繋がっている。即ち、端面４０ａの最も車両後方側の部分における傾斜角θは、右外周部材３２の車両後方側の端縁３２ａの傾斜角に等しい。図７に示す例では、端面４０ａの最も車両後方側の部分における傾斜角θは約７０度である。
また、右光沢部４０の端面４０ａは、ドライバから見て車両前方の最も奥側の部分で、右外周部材３２の右非光沢部３８の車両後方側の端縁３８ａに接している。この車両前方の最も奥側の部分における右光沢部４０の端面４０ａの傾斜角θは、約０度である。
右光沢部４０の端面４０ａの最も車両後方側の部分と、車両前方の最も奥側の部分との間において、端面４０ａの傾斜角θは、約７０度から約０度に至るまで、車両前方の奥側に向かうほど小さくなっている。
【００２６】
右外周部材３２の右光沢部４０の上側の端面４０ａ、及び、左外周部材３０の左光沢部３６の各端面３６ａについても、上述した右外周部材３２の右光沢部４０の下側の端面４０ａと同様に、ドライバから見て車両前方の奥側に向かう方向に所定の傾斜角θを有し、その傾斜角θは、車両前方の奥側に向かうほど小さくなるように形成されている。
【００２７】
次に、本発明の実施形態のさらなる変形例を説明する。
上述した実施形態においては、中央外周部材２４は、文字盤１８の面方向に対して直交する方向に延びるように形成されているが、文字盤１８の面方向に対して９０度以上の角度で、左右の外周部材３０、３２に向けて傾斜して延びるように形成されてもよい。
【００２８】
また、上述した実施形態においては、左非光沢部３４は逆コ字形状を有し、右非光沢部３８は、コ字形状を有しているが、これとは異なる形状を有してもよい。例えば、左非光沢部３４はＣ字形状を有し、右非光沢部３８は、逆Ｃ字形状を有してもよい。
【００２９】
次に、上述した本発明の実施形態及び本発明の実施形態の変形例による車両用メータ装置１０の作用効果を説明する。
【００３０】
まず、左外周部材３０の左光沢部３６及び右外周部材３２の右光沢部４０は、それぞれの端面３６ａ、４０ａが、中央外周部材２４の中央非光沢部２６の像を、その端面３６ａ、４０ａの光沢によりドライバ側に向けて反射するように中央非光沢部２６との間に隙間４２、４４を有して対向するように配置されているので、ドライバにとって、左光沢部３６及び右光沢部４０の端面３６ａ、４０ａは、その端面３６ａ、４０ａに映りこんだ中央非光沢部２６により、外光を反射する左光沢部３６及び右光沢部４０の他の部分よりも暗く認識される。これにより、左外周部材３０の左光沢部３６及び右外周部材３２の右光沢部４０が、中央非光沢部２６に対向する端面３６ａ、４０ａから次第に浮かび上がりながら左右に広がるような印象をドライバに与えることができ、立体感を強調することができる。
このように、左外周部材３０の左光沢部３６及び右外周部材３２の右光沢部４０がドライバの正面の中央外周部材２４の中央非光沢部２６から左右に広がりながら運転席に近づいてくるような立体感を強調することにより、車両の持つ「勢い」や「躍動感」を演出することができる。
【００３１】
特に、左光沢部３６及び右光沢部４０の端面３６ａ、４０ａと中央非光沢部２６との間の隙間４２、４４は、車両後方に向かって広がるように形成されているので、左光沢部３６及び右光沢部４０の端面３６ａ、４０ａが、中央非光沢部２６の像を車両後方に向かって反射することができる。従って、ドライバの視点からは、中央非光沢部２６が映り込んだ左光沢部３６及び右光沢部４０が視認される。これにより、左外周部材３０の左光沢部３６及び右外周部材３２の右光沢部４０が、中央非光沢部２６に対向する端面３６ａ、４０ａから次第に浮かび上がりながら車内に広がるような印象をドライバに与えることができ、立体感を強調することができる。
【００３２】
また、中央外周部材２４の中央非光沢部２６は、中央メータ１２の面方向に対してほぼ直交する方向に延び、左光沢部３６及び右光沢部４０の端面３６ａ、４０ａの傾斜角θは、ドライバから見て車両前方の奥側に向かうほど小さくなるように形成されているので、車両前方の奥側に向かうほど、左光沢部３６及び右光沢部４０の端面３６ａ、４０ａと中央非光沢部２６の側面とが平行に近づき、ドライバにとって、これらの面の境界を識別し難くなる。これにより、左外周部材３０の左光沢部３６及び右外周部材３２の右光沢部４０が、中央非光沢部２６に対向する端面３６ａ、４０ａから浮かび上がってくる印象を一層強くドライバに与えることができ、立体感を更に強調することができる。
【００３３】
また、左右の外周部材３０、３２は、車両後方側の端縁３０ａ、３２ａに向けて薄くなるように形成されているので、ドライバの視点から見た左右の外周部材３０、３２の奥行きが強調される。これにより、左右の外周部材３０、３２の立体感を更に強調することができる。
【００３４】
また、中央外周部材２４は、側面視で、その車両後方側の端縁２４ａが、下側から上側に向かって車両後方側に突出するように傾斜しているので、中央外周部材２４がドライバに向かって延びるような印象を与えることができ、この中央外周部材２４により囲まれる中央メータ１２の存在感を強調することができる。これにより、車両の持つ「勢い」や「躍動感」を演出することができる。
また、中央外周部材２４の上側の端縁２４ａにより、中央メータ１２への外光の入射を効果的に防止することができる。
【００３５】
また、左右の外周部材３０、３２は、その車両後方側の端縁３０ａ、３２ａの上側部分が、車両後方側の端縁３０ａ、３２ａの下側部分よりも、車両後方側に突出しているので、左右の外周部材３０、３２がドライバに向かって延びる印象を与えることができ、この左右の外周部材３０、３２に隣接している中央外周部材２４がドライバに向かって延びる印象を強調することができる。これにより、中央メータ１２の存在感を更に強調することができ、車両の持つ「勢い」や「躍動感」を演出することができる。
また、左右の外周部材３０、３２の上側の端縁３０ａ、３２ａにより、左ディスプレイ１４及びへの外光の入射を効果的に防止することができる。
【符号の説明】
【００３６】
１  車室
２  インストルメントパネル
４  コンソール部
６  コラムシャフト
８  ステアリングホイール
１０  車両用メータ装置
１２  中央メータ（中央表示板）
１４  左ディスプレイ（左側の隣接表示板）
１６  右ディスプレイ（右側の隣接表示板）
１８  文字盤
２０  指針
２２  文字盤ディスプレイ
２４  中央外周部材（中央表示板用の外周部材）
２６  中央非光沢部
２８  中央光沢部
２４ａ、３０ａ、３２ａ、３８ａ  車両後方側の端縁
３０  左外周部材（隣接表示板用の外周部材）
３２  右外周部材（隣接表示板用の外周部材）
３４  左非光沢部（隣接非光沢部）
３６  左光沢部（隣接光沢部）
３６ａ、４０ａ  端面
３８  右非光沢部（隣接非光沢部）
４０  右光沢部（隣接光沢部）
４２、４４  隙間
【図１】
2014189053.tif 000003
【図２】
2014189053.tif 000004
【図３】
2014189053.tif 000005
【図４】
2014189053.tif 000006
【図５】
2014189053.tif 000007
【図６】
2014189053.tif 000008
【図７】
2014189053.tif 000009